(57)【要約】      （修正有）【課題】圧縮空気の供給を一本が二本分の働きをするボンベ及び容器を供給する。【解決手段】圧縮空気ボンベ内部の仕切り弁Ｒ５の両面に振り出し式伸縮油圧シリンダーＲ１とＲ２によって、圧縮空気を供給する、空気層Ｗ９の圧縮空気部の圧縮空気供給と共に油圧シリンダーＲ１は縮小し縮小と比例し油圧シリンダーＲ２が伸びると共に、仕切り弁が吸排出口Ａ１方面に移動し、空気圧を一定圧に保ち空気供給と共に空気層Ｗ１０に空気を取り入れる、供給していた空気層Ｗ９の空気が無くなった時に油圧切り替えバルブによって、反対側の、空気を取り入れた空気層Ｗ１０の油圧シリンダーＲ２が縮小すると共に油圧シリンダーＲ１が伸び、共に仕切り弁も空気吸排出口Ｂ１側に移動し空気層Ｗ１０の空気は加圧され、加圧された空気を空気モーターへ供給するように作られた空気ボンベ及び容器。【選択図】図１
2007182983.tif 000002
【特許請求の範囲】
【請求項１】
充填圧縮空気タンクの内部に振り出し式伸縮油圧シリンダ（Ｒ１）と移動式仕切り弁（Ｒ５）と油圧シリンダー（Ｒ２）を有し、移動式仕切り弁を両端のどちらかの最後部に位置しておき空気層部の一番大きい部分に高圧縮空気をボンベに充填し、空気ボンベの圧縮空気吸排出口（Ａ１とＢ１）の一方（当初空気充填箇所）より空気が消費する都度に、移動式仕切り弁の反対面に有する油圧シリンダーが伸び、消費される側の空気圧を一定に保ち、伸びた油圧シリンダー部の空気層に空気吸入されるように創られているボンベ及び耐圧容器
【請求項２】
移動式仕切り弁の両側の油圧シリンダーは振り出し式伸縮油圧シリンダーを有する請求項１のボンベ及び耐圧容器
【請求項３】
空気ボンベの両端に空気吸排出口を有するボンベ及び耐圧容器
【請求項４】
空気ボンベの空気仕切り弁（Ｒ５）は移動運動するようにつくられている請求項１のボンベ及び耐圧容器
【請求項５】
仕切り弁によって区切られて消費する片方の空気排出量に対し、油圧シリンダーは縮小し、吸入側の油圧シリンダーは空気圧を一定に保つように伸びるように作られている請求項１のボンベ及び耐圧容器
【請求項６】
空気ボンベは鉄、鋼、アルミ合金、ステンレス合金、樹脂類によって作られている請求項１のボンベ及び耐圧容器
【発明の詳細な説明】
【技術分野】
【０００１】車両、機械などの空気駆動を必要とする圧縮空気タンク及び圧縮容器
【背景技術】
【０００２】符合をもって説明する。
空気ボンベ及び容器（Ｒ６）の中空部分に移動式仕切り弁（Ｒ５）を有し、移動式仕切り弁の両面に振り出し式伸縮油圧シリンダー（Ｒ１とＲ２）を持つボンベ及び容器は、必要とする圧縮空気の排出と共に、圧縮空気排出面（Ｗ１）の反対面に有る振り出し式伸縮油圧シリンダー（Ｒ２）は空気層（Ｗ９）の空気圧減少のと共に油圧ポンプによって油吸排出口（Ｒ４）より振り出し式伸縮油圧シリンダー（Ｒ２）へ圧縮油が送り込まれ、油圧シリンダー（Ｒ２）がのび移動式仕切り弁を減圧方向（Ｗ９）へ移動させ、常に空気圧を一定に保つようにする。
空気層（Ｗ９）の圧縮空気が完全に無くなった時には、振り出し式伸縮油圧シリンダー（Ｒ２）は最長に伸びているために、当然空気層（Ｗ１０）は広くなり、空気層（Ｗ９）部は図１に示す空気層（Ｗ１０）状態に成っている、圧縮空気を同じボンベ及びタンクより空気モーターへ圧縮空気を供給するために、振り出し式伸縮油圧シリンダー（Ｒ１）へ油吸排出口（Ｒ３）より圧縮油が送り込まれ、振り出し式伸縮油圧シリンダー（Ｒ１）が伸びると共に空気層（Ｗ１０）の空気は圧縮され、空気モーターの作動用圧縮空気が供給される。
【発明が解決招とする課題】
【０００３】圧縮空気の排出によって、ボンベ及び容器の圧縮空気が失われる、失われた圧縮空気を移動式仕切り弁と振り出し式伸縮油圧シリンダーによって、自動的にボンベ及び容器に空気を取り入れ、圧縮するボンベ及び容器
【０００４】一本の圧縮された空気ボンベおよび容器が油圧シリンダー利用によって、二本分、三本分の働きをするボンベ及び容器
【課題を解決するための手段】
【０００５】別件特許提出の空気式複合エンジンは油圧ポンプとモーターが一体式に作られてる、空気式複合エンジンの作動と共に油圧ポンプも作動し、油圧を上げた油圧を油圧調整弁によって空気ボンベに空気モーターが必要とする空気圧力がえられるように、振り出し式伸縮油圧シリンダーに油をおくる、油圧シリンダーは減圧と共に振り出し式伸縮油圧シリンダー（Ｒ２）が伸び移動式仕切り弁（Ｒ５）が減圧方向に進み、ボンベ及び容器内の空気圧力は一定に圧に保たれる。
【０００６】当初の圧縮空気を充填するさい、ボンベ及び容器の内部に有する移動式仕切り弁を一番淵に設定し、反対面の空気層の広い箇所に圧縮空気を充填する。
【発明の実施するための最良の形態】
【０００７】発明の実施形態を図面に基づき参照し説明する。
図１に付いて振り出し式伸縮油圧シリンダー（Ｒ１）と移動式仕切り弁（Ｒ５）と振り出し式伸縮油圧シリンダー（Ｒ２）をボンベの内部に有し、空気層（Ｗ９）の空気が供給され減圧していく度に振り出し式伸縮油圧シリンダーの圧縮油は圧縮油圧吸排出口（Ｒ３）より排出される度に、振り出し式伸縮油圧シリンダー（Ｒ２）が圧縮油圧吸排出口（Ｒ４）より圧縮油の供給により伸び、加圧していき空気圧力を一定に保つようにする。
【０００８】空気層（Ｗ９）側の振り出し式伸縮油圧シリンダーと移動式仕切り弁（Ｒ５）の移動と共に空気層（Ｗ９）の圧縮空気が完全に供給された時には空気層（Ｗ１０）は広がり外部より空気が入っている状態に成っている、次に反対運動によって、振り出し式伸縮油圧シリンダー（Ｒ１）が伸び、移動式仕切り弁（Ｒ５）が空気層（Ｗ１０）方向に移動するために空気層（Ｗ１０）の空気が圧縮され空気モーターへ圧縮空気を供給するように作られている。
【実施例】
【０００９】別件特許出願の空気式複合エンジンと兼ね合わせて使うことで、油圧ポンプの圧縮油を必要に応じた加圧に設定し、振り出し式伸縮油圧シリンダーに油を供給するため、油圧シリンダーの設定加圧により、ボンベ及び容器内の空気圧を常に一定に保つため、空気モーター又は用途に応じた物に対し空気供給が安定する。【００１０】ボンベに設けて有る移動式仕切り弁を油圧シリンダによって、往復運動させることによって、供給する圧縮空気が長持ちする。
【産業上の利用可能性】
【００１１】当発明したボンベ及び容器を供給する事によって、車両などにおいては、ガソリン、軽油、水素ガス、天然ガスなどを必要が無い車両が供給できるように成ると共に、環境問題に関して無公害な車両が供給できるようになる。【００１２】世界的問題地球の温暖化なども、油、水素ガス、天然ガスを燃焼して駆動力を生む車両と違う車両を供給できるために、車両に関する温暖化削減問題に適合する車両、重機が供給できるようになる。【００１３】隧道工事、深層工事用車両のエンジンを空気式複合エンジンを使用と共に空気自動式補充ボンベを組み合わせる事に拠って、構内の排気ガス問題、酸欠問題が緩和される。【００１４】世界的環境問題に対するエコエンジンに対する圧縮空気供給が可能なボンベ及び容器を提供できる。
【図面の簡単な説明】
【図１】空気自動補充式ボンベの正面図である。
【図２】空気自動補充式ボンベの側面図である。
【図３】空気自動補充式ボンベＦ‘−Ｆの断面図である。
【符号の説明】
Ａ１    圧縮空気排出及び空気取り入れ口
Ｂ１    圧縮空気排出及び空気取り入れ口
Ｒ１    振り出し式伸縮油圧シリンダー
Ｒ２    振り出し式伸縮油圧シリンダー
Ｒ３    圧縮油吸排出口
Ｒ４    圧縮油吸排出口
Ｒ５    移動式仕切り弁
Ｒ６    タンク及び容器
Ｗ９    空気層
Ｗ１０  空気層
【図１】
2007182983.tif 000003
【図２】
2007182983.tif 000004
【図３】
2007182983.tif 000005
【手続補正書】
【提出日】平成18年12月25日(2006.12.25)
【手続補正１】
【補正対象書類名】特許請求の範囲
【補正対象項目名】請求項１
【補正方法】変更
【補正の内容】
【請求項１】
空気自動補充ボンベは、内部に移動式仕切り弁と移動式仕切り弁を挟み左右両面に反比例に作動する振り出し式油圧シリンダーを有し、タンク及びボンベの両壁面に各１個づつ圧縮空気排出口、バネとバネ式排出弁、バネとバネ式吸入弁、圧縮油吸排出口を有するボンベ内の仕切り弁は振り出し式油圧シリンダーの伸縮と共に移動し、空気を圧縮し供給するボンベ内の振り出し式油圧シリンダーの、最収縮している、振り出し式油圧シリンダーに圧縮油を送り負荷を加えると共に、最長になっている振り出し式油圧シリンダーの油圧を排出と共に仕切り弁が動き、空気層の空気圧を上げ、側壁に有するバネ式排出弁に設定以上の空気圧を加え、加わると共に弁は開き圧縮空気が排出されると共に、長くなっている振り出し式油圧シリンダーの圧縮油を排出して行くと共に、短くなっている振り出し式油圧シリンダーに圧縮油を送り、負荷を加えつづけ振り出し式シリンダーを伸ばして行くと共に仕切り弁も共に移動し空気圧を保持しながら振り出し式シリンダーは伸びて行くと共に反対面、側壁に有するバネ式吸入弁も、同時に開き空気層に空気を自吸入する。
仕切り弁に有する両面の振り出し式油圧シリンダーは反比例による圧縮油の供給と排出によって伸びて行く振り出し式油圧シリンダーはやがて、最長になり、圧縮油を排出して行く振り出しシリンダーは最短になる、最長と最短に成った時点に振り出し式油圧シリンダーへの圧縮油の供給と排出が切り替わり、再び最短になった振り出し式油圧シリンダーは、圧縮油の供給によって伸びていき、最長に成っている振り出し式油圧シリンダーは圧縮油を排出していき、収縮を始めると共に圧縮空気を排出するバネ式排出弁と空気層に自吸入するバネ式吸入弁の左右の関連運動も切り替わり、一連の関連運動によって、圧縮空気供給と共に、仕切り弁を挟んだ振り出し式油圧シリンダーが再び最長と最短に成った時点に、再び圧縮油の供給と排出が切り替わり一連の関連運動を繰り返し、長時間圧縮空気を供給するボンベ及びタンク及び容器。
【手続補正２】
【補正対象書類名】特許請求の範囲
【補正対象項目名】請求項３
【補正方法】変更
【補正の内容】
【請求項３】
空気自動補充式ボンベの両端に空気排出口と空気吸入口を各１個を有する請求項１のボンベ及び容器
【手続補正３】
【補正対象書類名】明細書
【補正対象項目名】０００２
【補正方法】変更
【補正の内容】
【０００２】符合を持って説明する。
空気ボンベ及び容器（Ｒ６）の内部に移動式仕切り弁（Ｒ５）を有し、移動式仕切り弁の両面に油圧の供給と排出によって伸びちじみする、振り出し式油圧シリンダー（Ｒ１とＲ２）を持ち、（Ｗ９）室の圧縮空気の排出と共に、油吸排出口（Ｒ４）より振り出し式油圧シリンダー（Ｒ２）に圧縮油が送り込まれると共に、空気排出層の振り出しシリンダー（Ｒ１）の油圧が油吸排口（Ｒ３）より排出されると同時に、移動式仕切り弁（Ｒ５）は空気層（Ｗ９）へ移動と共に振り出し式油圧シリンダー（Ｒ２）に油圧が送り込まれると共に振り出し式油圧シリンダー（Ｒ１）の油圧が排出される。
空気層（Ｗ９）の空気が排出されていくに従い、仕切り弁（Ｒ５）も圧縮空気排出口（Ａ１）へ移動と共に振り出し式油圧シリンダー（Ｒ２）に油圧が送り込まれると共に振り出し式油圧シリンダー（Ｒ１）の油圧は排出されていく、やがて、振り出し式油圧シリンダー（Ｒ１）は最短に（Ｒ２）は最長になると、共に供給と排出が切り替わり、振り出し式油圧シリンダ（Ｒ１）は伸びて行き、仕切り弁も空気排出口（Ｂ１）へ移動と共に振り出し式油圧シリンダー（Ｒ２）は伸縮していき、やがて振り出し式油圧シリンダーは最長と最短に成った時点に油圧の供給と排出が変り、仕切り弁を挟んだ、両面のシリンダーの伸縮運動を繰り返すことで、長時間圧縮空気を空気式モーターに供給できる。
【手続補正４】
【補正対象書類名】明細書
【補正対象項目名】０００７
【補正方法】変更
【補正の内容】
【０００７】発明の実施形態を図面に基づき参照して説明する。
空気ボンベ及び容器（Ｒ６）の内部に移動式仕切り弁（Ｒ５）を有し、移動式仕切り弁の両面に油圧の供給と排出によって伸びちじみする、振り出し式油圧シリンダー（Ｒ１とＲ２）を持ち、（Ｗ９）室の圧縮空気の排出と共に、油吸排出口（Ｒ４）より振り出し式油圧シリンダー（Ｒ２）に圧縮油が送り込まれると共に、空気排出層の振り出しシリンダー（Ｒ１）の油圧が油吸排口（Ｒ３）より排出されると同時に、移動式仕切り弁（Ｒ５）は空気層（Ｗ９）へ移動と共に振り出し式油圧シリンダー（Ｒ２）に油圧が送り込まれると共に振り出し式油圧シリンダー（Ｒ１）の油圧が排出される。
空気層（Ｗ９）の空気が排出されていくに従い、仕切り弁（Ｒ５）も圧縮空気排出口（Ａ１）へ移動と共に振り出し式油圧シリンダー（Ｒ２）に油圧が送り込まれると共に振り出し式油圧シリンダー（Ｒ１）の油圧は排出されていく、やがて、振り出し式油圧シリンダー（Ｒ１）は最短に（Ｒ２）は最長になると、共に供給と排出が切り替わり、振り出し式油圧シリンダ（Ｒ１）は伸びて行き、仕切り弁も空気排出口（Ｂ１）へ移動と共に振り出し式油圧シリンダー（Ｒ２）は伸縮していき、やがて振り出し式油圧シリンダーは最長と最短に成った時点に油圧の供給と排出が変り、仕切り弁を挟んだ、両面のシリンダーの伸縮運動を繰り返すことで、長時間圧縮空気を供給できる。
【手続補正５】
【補正対象書類名】明細書
【補正対象項目名】符号の説明
【補正方法】変更
【補正の内容】
【符号の説明】
Ａ１    圧縮空気排出口
Ｂ１    圧縮空気排出口
Ｃ１    バネ式排出弁
Ｄ１    バネ式排出弁
Ｅ１    バネ式吸入弁
Ｆ１    バネ式吸入弁
Ｇ１    バネ
Ｈ１    吸入口
Ｒ１    振り出し式油圧シリンダー
Ｒ２    振り出し式油圧シリンダー
Ｒ３    圧縮油吸排出口
Ｒ４    圧縮油吸排出口
Ｒ５    移動式仕切り弁
Ｒ６    ボンベ及びタンク及び容器
Ｗ９    空気層
Ｗ１０  空気層
【手続補正６】
【補正対象書類名】図面
【補正対象項目名】全図
【補正方法】変更
【補正の内容】
【図１】
2007182983.tif 000006
【図２】
2007182983.tif 000007
【図３】
2007182983.tif 000008